(57)【要約】【課題】作物と作物との間に、育った、不用草や、不用作物等の、除草作業や、間引き作業として、リストラ作業を、合理的に、実行するには、良い管理用補助道具の発明が必要だった、【解決手段】ノコ目刃▲状▼手持鎌の改善で、ノコ目刃▲状▼が、刈刃側（４）、上部背部（５）も、同じ、Ｕ字体風ノコ目刃▲状▼にした事、刃の柄側をＬ字取付用ブラケットを立ち上げ（７）、ブラケットの固定用ボルト穴は１コ（１４）、刃地面対柄作業角度調整用に、（１５）スリット穴を設け、角度自由、ボルトによる、刃の固定なので、セパレート型式で、刃のみ取り替へ、柄はラバー等利用して、スベリ止や、長時間作業に向く柄にしても、再利用性が上つて、経済性が上り、エコでもある様改善発明した、作物等の根部切り向き専用ノコ刃▲状▼手持鎌の発明である。【選択図】図１
2016101152.tif 000002
【特許請求の範囲】
【請求項１】
ノコ目刃▲状▼が、刈刃側（４）、上部背部（５）、も同じ、Ｕ字体風ノコ目刃▲状▼、刃取り付ブラケット部の、固定用ボルト穴（１４）が１コ、刃地面角度対、柄角度調整用に、（１５）スリット穴を設け、フリー角度調整出来る、刃取り付を、ボルト利用で、自由に、刃部を、取り替へる事が、出来る、セパレート型式であることを、特徴とする作物等の根部切り向き専用ノコ刃▲状▼手持鎌
【発明の詳細な説明】
【技術分野】
【０００１】ガーデンや畑等の管理用、補助道具
【背景技術】
【０００２】作物と作物との間に、育った、不用草や、不用作物としての、除草や、間引き作業として、作物のリストラ作業を、やる、必要性が有り、各人の都合で、クワやカマ等の用具の力を、借りたり、手指で、抜き取り等で、各人の勝手で、あまり合理性が無く、手指による抜き取り作等は、友抜きが多く発生して、残す、作物の根を痛める等、改善の必要性があった
【先行技術文献】
【特許文献】
【０００３】
【特許文献１】特開２００４−１６２３３
【発明の概要】
【発明が解決しようとする課題】
【０００４】作物と作物との、間に育った、不用草や、不用作物等を、除草や、間引作業を、合理的に、進める事が出来る、管理補助道具としての、作物等の根部切り向き専用ノコ刃▲状▼手持鎌の、改善発明
【課題を解決するための手段】
【０００５】ステンレス刃材等でも、普通型のノコ鎌や、クワ、カマ、草抜き等では、一つの道具では、一方性が強く、合理的作業が、やりづらいや、草抜きでは、残すべき、作物の根の、友抜きで、根を痛める等で、一つの道具で、合理的作業が出来なかった、そこで、鳥の口バシ、又は、ササの葉型と、云われる、クサビ型に近い、型のカマ型に、改善、刈刃は、ノコ目刃を用いる、上部、背部も、刈り残し等、発生あるも、カマ部の、差し換え無しでも、上部えの押し刈や、左右刈等の連続作業が、出来る様、手前の刈刃と、同等に、ノコ目刃▲状▼を設ける、主な作業は、作物等の、基根部のすぐ下部の、手根部の切断作業が、合理的作業で、これが、主体に、成るので、クワ作業に近い、作業性が、必要なので、刃部の地面対角度が、重用なので、各人自由に出来様、ブラケットの有るボルトによる、取り付型式に、刃がスリヘリ不使用に成っても、刃部のみ、自由に、交換出来る、柄は再利用出来るので、ラバーを使い、使用の合理性を上げました
【発明の効果】
【０００６】作物と作物の、間に出来た、不用草や、間引必要な、作物等、除草や間引作業は、基根部のすぐ下部の、生でヤワラカイ毛根部を、ノコ目刃▲状▼鎌を使う事で、合理的作業が出来て、残す作物の、根を痛める、友抜き等も、発生が少なく、草も毛根部を、刈るので、再起草の発生も、少なく成る、ノコ刃部は、再トギを、くり返し、使用するが今までは、刃が、不用に、成ったら、柄も不用に、するしか、なかったが、セパレート型式に、改善した事で、柄は、連続使用出来るので、エコでもあり、ラバー等を用いて、使用の合理性を、高めた柄を開発しても、不経済ではなく、連続作業等が楽に成ります作物等の根部切り向き専用ノコ刃▲状▼手持鎌の改善発明
【図面の簡単な説明】
【０００７】
【図１】本発明  使用可時上部よりの、ボルト部透視図入り、見取り図
【図２】本発明  柄部左側よりの見取り図
【図３】本発明  柄部右側よりの見取り図
【図４】本発明  ノコ刃部真上よりの見取り図
【図５】本発明  ノコ刃部水平刃部より背部えの見取り図
【図６】本発明  ノコ刃部右側より、ブラケット部見取り図
【図７】本発明  ラバー性パッキン見取り図
【図８】本発明  刃取付用ボルトＡＢ見取り図
【図９】本発明  柄先に刃組立時配置ボルト部透視図入り見取り図
【図１０】本発明  柄、刃取り付部左側より見取り図
【図１１】本発明  柄、刃取り付部右側より見取り図
【発明を実施するための形態】
【０００８】手に持つ柄と、その先に、作物等の主に、毛根部切り向き専用ノコ目刃を向けた、管理作業用補助道具としての、作物等の根部切り向き専用ノコ刃▲状▼手持鎌柄部は、図１、図２、図３の（３）に、示した様に、合理的作業が、楽に、続けられる様に、ラバー等を使用し、合理性を高めました、刃、取り付部は、外付もありますが、これは普通のカマ等も使用のスソ割型での発明である、刃部は図４、に示した様に、全体に鳥の口バシ、ササの葉、クサビ型と云える型である、（１）の刈刃のカーブ曲りは、柄側の直線部を基に、刃渡り約１０ｃｍを例に、刃部全体を、大体約４分割に見て、柄側を基準にして、約４０°広がり曲りで約２．５ｃｍ、次約５０°広がり曲りで約２．５ｃｍ、次約６５°広がり曲りで約２．５ｃｍ、刃先までは約８０°広がり曲りで約２．５ｃｍで連続自然カーブで、刈刃部を成し、上部背部は、刃先約２ｃｍは巾約１ｃｍ、左上カタ部は、角落ちの鳥の口バシ型のカーブ、約２ｃｍそのあとは、柄元まで直線ではなく、約中途間約５ｍ／ｍ巾の上部外側への、自然的な、ふくらみの有る曲線カーブで成る、柄元で、図５、（７）の様、Ｌ字ブラケット部を成す、Ｌ字折曲部上部は、Ｌ字補強用に折曲補強部と成す、ブラケット部は、図６、で示す様に、（１４）固定ボルト穴、（１５）角度調整用スリット穴を設ける、（６）折曲補強部です、ノコ目刃は、毛根を切断するを、主、作業とするので、どうしても、土を切り、スリへります、再研ぎが、必要で、この作業を実行しやすい道具、手近に、利用出来る、切断サンダー機が便利な様に、Ｕ字体風ノコ目で、設けます、ノコ目刃３ｍ／ｍ毎、切断トイシ２ｍ／ｍ厚品で、再、研ぎ出来、手軽です、図４、（４）ノコ目刃はこの刃です、上部背部ノコ目刃（５）も、これと同じ３ｍ／ｍ毎、Ｕ字体風ノコ目刃を設けます、柄への刃取り付は、図９、刃組立時配置見取り図で、説明します、柄先刃取り付部は、図９、（２）の様にスソ割型に設け、柄先を上に見て、右側に、ゴムパッキン、左側にノコ刃取り付用ブラケット（７）を組み入れ、ボルト穴（１６）に、ボルト（１０）ボルト穴（１７）に、ボルト（９）で取り付けます、刃取り付穴はブラケットには、固定用、図６、（１４）１コ、（１５）スリット穴側はフリーに成ります、ゴムパッキン（８）とスリット穴の共働で、刃対柄の角度を決めたら、（９）と（１０）のボルトをシメて固定します、ゴムパッキンがスリット穴に喰い込み共働して、固定します、固定出来たら、ラバー部を手に持ち、作業します
【符号の説明】
【０００９】１、ノコ刃▲状▼刃本体    ２、柄本体
３、柄ラバー部    ４、ノコ目刃    ５、背部ノコ目刃
６、折曲補強部    ７、刃取付ブラケット部
８、ゴムパッキン    ９、取付用ボルトＡ
１０、取付用ボルトＢ    １１、発明者イメージデザイン
１２、凹座付取付用穴Ａ    １３、凹座付取付用穴Ｂ
１４、ボルト穴    １５、角度調整用スリット穴
１６、ボルト用穴Ｂ    １７、ボルト用穴Ａ
１８、ナット山付ボルト穴Ｂ    １９、ナット山付ボルト穴Ａ
【図１】
2016101152.tif 000003
【図２】
2016101152.tif 000004
【図３】
2016101152.tif 000005
【図４】
2016101152.tif 000006
【図５】
2016101152.tif 000007
【図６】
2016101152.tif 000008
【図７】
2016101152.tif 000009
【図８】
2016101152.tif 000010
【図９】
2016101152.tif 000011
【図１０】
2016101152.tif 000012
【図１１】
2016101152.tif 000013